(57)【要約】【課題】  ナノサイズの帯電微粒子水を浴室空間に放出することで、浴室内のカビ、ニオイを効果的に除去でき、浴室空間を清潔快適に保つこと。ケースの表面に水がかかった場合でも、電荷リークを防止でき、これにより放電ユニットの電気回路を十分に保護でき、浴室用静電霧化装置の高品質化及び高寿命化を図ること。【課題手段】  浴室２に配設されるケース３と、ケース３の内部に収納されてナノサイズの帯電微粒子水Ｍを発生する放電ユニット４とを備え、上記ケース３は化粧カバー３Ａと、放電ユニット４が嵌め込まれる本体ケース３Ｂとに分割され、化粧カバー３Ａと本体ケース３Ｂとを導電材料からなる帯電防止用板４０を介して接続すると共に、帯電防止用板４０を接地側に接続した。【選択図】        図１
2005224729.tif 000002
【特許請求の範囲】
【請求項１】
浴室に配設されるケースと、ケースの内部に収納されてナノサイズの帯電微粒子水を発生する放電ユニットとを備え、上記ケースは化粧カバーと、放電ユニットが嵌め込まれる本体ケースとに分割され、化粧カバーと本体ケースとを導電材料からなる帯電防止用板を介して取り付けると共に、帯電防止用板を接地側に接続したことを特徴とする浴室用静電霧化装置。
【請求項２】
上記帯電防止用板に、化粧カバーと本体ケースとの両方に弾性接触する略く字状のばね部を設けたことを特徴とする請求項１記載の浴室用静電霧化装置。
【請求項３】
上記化粧カバーの表面に水平断面が凹凸形状をし且つ垂直方向に延びる水ガイドを設けたことを特徴とする請求項１又は２記載の浴室用静電霧化装置。
【発明の詳細な説明】
【技術分野】
【０００１】
本発明は、浴室空間にナノサイズの帯電微粒子水（ナノサイズのミスト）を放出するための浴室用静電霧化装置に関するものである。
【背景技術】
【０００２】
浴室空間は非常に湿度が高くなるうえ、水や湯が浴室の壁や床に付着するため、壁や床にカビが発生しやすい。この問題を解決するため、換気装置を運転することによって浴室内の空気を強制的に屋外へ排出することや、浴室乾燥装置を運転することによって浴室空間の湿度を下げることが行われている。
【０００３】
その一例として、放電により正イオンと負イオンを発生させるイオン発生部を備えたイオン発生装置と、正イオンと負イオンを浴室空間に放出する送風装置とを搭載した浴室用空気調節装置が知られている（例えば、特許文献１参照）。
【０００４】
ところがこの従来例にあっては、イオンは滞空時間が長くてもせいぜい２〜３分程度と短く、また空気中の物質と結合すると消えてしまう。この結果、浴室空間を浮遊するカビの胞子を顕著に減らすことができず、結果、浴室の壁や床に付着した水や湯の近傍でカビが繁殖するのを充分に防ぐことができない。そのうえ、従来の浴室用空気調節装置では、装置内部に水が入り込んで、電気部品が短絡したり、放電が安定しなくなるといった問題もある。
【０００５】
他の従来例として、液搬送部中に水を充填すると共に液印加電極から液搬送部に高電圧を印加して対向電極に向けて放電することでラジカルを有するナノサイズの帯電微粒子水を発生させる静電霧化装置が知られている（例えば、特許文献１参照）。
【０００６】
ところが、特許文献２に見られる静電霧化装置を防水ケースに収納して浴室用として用いることが考えられるが、この場合、たとえ防水ケースに静電霧化装置を収納した場合でも、浴室の飛散水がケース表面に付着すると、ケースの表面が電荷リーク経路となり、この場合、浴室用静電霧化装置の電気回路に過電流が流れるおそれがあり、電気回路を破損させるおそれもある。
【特許文献１】特開２００３−１５６２２０号公報
【特許文献２】特開２００３−７９７１４号公報
【発明の開示】
【発明が解決しようとする課題】
【０００７】
本発明は上記の従来の問題点に鑑みて発明したものであって、ナノサイズの帯電微粒子水を浴室空間に放出することによって、浴室内でのカビの発生を効果的に抑制でき、ニオイを効果的に分解でき、浴室空間を清潔快適に保つことができると共に、ケースの表面に水がかかった場合でも、電荷リークを防止でき、これにより放電ユニットの電気回路を十分に保護でき、高品質で且つ高寿命の浴室用静電霧化装置を提供することを課題とするものである。
【課題を解決するための手段】
【０００８】
前記課題を解決するために請求項１に係る発明は、浴室２に配設されるケース３と、ケース３の内部に収納されてナノサイズの帯電微粒子水Ｍを発生する放電ユニット４とを備え、上記ケース３は化粧カバー３Ａと、放電ユニット４が嵌め込まれる本体ケース３Ｂとに分割され、化粧カバー３Ａと本体ケース３Ｂとを導電材料からなる帯電防止用板４０を介して接続すると共に、帯電防止用板４０を接地側に接続したことを特徴としている。
【０００９】
このような構成とすることで、ケース３から浴室２空間に放出されるナノサイズの帯電微粒子水Ｍは、空気中のカビの除去及び抗カビ効果といった作用を有するものであり、しかも空気中での滞空時間が１５〜３０分程度と長く、そのうえ水分を伴っているため、空気中の物質と結合しても従来のイオンのように消えてしまうことがない。従って、浴室２空間を浮遊するカビの胞子を顕著に減らすことができると共に、浴室２の壁や床に付着した水や湯の近傍でカビが繁殖するのを充分に防ぐことができ、ニオイを分解して高い脱臭効果が得られる。さらに、ケース３に水がかかった場合、ケース３表面を伝って浴室壁等へ漏れようとする電荷を帯電防止用板４０でキャッチして強制的に接地させることができ、ケース３から浴室壁２ａへと電荷を逃がさないようにできる。従って、ケース３の表面が水に濡れた場合でも、化粧カバー３Ａから浴室壁２ａへの電荷リーク経路、或いは、本体ケース３Ｂから浴室壁２ａへの電荷リーク経路の両方を、帯電防止用板４０によって確実に絶つことができる。これにより従来のような過電流による電気回路の破損を防止できるようになる。
【００１０】
また請求項２に係る発明は、請求項１において、帯電防止用板４０に、化粧カバー３Ａと本体ケース３Ｂとの両方に弾性接触する略く字状のばね部４１を設けたことを特徴とするのが好ましく、この場合、化粧カバー３Ａを本体ケース３Ｂに嵌め合わせた状態で、略く字状のばね部４１が撓んで化粧カバー３Ａと本体ケース３Ｂの両方に確実に弾性接触する構造となり、帯電防止用板４０による電荷リーク防止の確実性を高めることができる。
【００１１】
また請求項３に係る発明は、請求項１又は２において、化粧カバー３Ａの表面に、水平断面が凹凸形状をし且つ垂直方向に延びる水ガイド４２を設けたことを特徴とするのが好ましく、この場合、水ガイド４２により化粧カバー３Ａの表面にかかった水をスムーズに水切りできるようになる。従って、電荷リーク防止効果をより高めることができるうえに、水ガイド４２は水平断面が凹凸形状をしているので、化粧カバー３Ａの外観デザイン性が向上する効果もある。
【発明の効果】
【００１２】
本発明に係る浴室用静電霧化装置にあっては、ナノサイズの帯電微粒子水によって浴室内でのカビの発生の抑制、及び、ニオイの分解が効果的に行なわれ、浴室空間を清潔快適に保つことができる。しかも、ケース表面を伝って浴室壁等へ漏れようとする電荷を帯電防止用板でキャッチして強制的に接地させることができ、過電流による電気回路の破損等を防止でき、浴室用静電霧化装置の高品質化及び長寿命化を実現できるものである。
【発明を実施するための最良の形態】
【００１３】
以下、本発明を添付図面に示す実施形態に基いて説明する。
【００１４】
本実施形態の浴室用静電霧化装置１は、浴室２に配設されるケース３と、ケース３の内部に収納される放電ユニット４とで主体が構成される。
【００１５】
先ず、放電ユニット４は、図９〜図１１に示すように、多孔質セラミックよりなる液搬送部７中に水を吸い上げると共に液搬送部７に高電圧を印加して対向電極８に向けて放電することでナノサイズの帯電微粒子水Ｍ（以下、「ナノサイズのミストＭ」という）を発生させる放電ユニット４と、前面パネル２６の背面に放電ユニット４に水を供給する給水タンク１６が一体に設けられた給水タンクブロック１７とを備えている。ここで、放電ユニット４の絶縁カバー２３の一部から高電圧発生部９の給電端子１０Ａに接続される高圧側接点端子１１Ａを露出させている。絶縁保持部１００の一部からは高電圧発生部９の接地端子に接続される接地側接点端子１１Ｂが突設されている。なお図９中の３６は液搬送部７の上半部を覆う上カバー、３７は液搬送部７の下半部を覆うスカート部、３８は上カバー３６と絶縁カバー２３とを係止させる係止部である。放電ユニット４の端子１１は、例えば、ポリプロピレン樹脂に炭素などを含有させた導電性樹脂で構成されている。
【００１６】
本例の放電ユニット４は、給水タンク１６内の水を吸い上げて搬送する棒状の液搬送部７と、液搬送部７中の水に対して高電圧を印加する液印加電極２４と、液搬送部７の先端部と対向する対向電極８と、上記液印加電極２４と対向電極８との間に高電圧を印加する高電圧発生部９（図３）とを備えている。なお、対向電極８と液印加電極２４は共にカーボンのような導電材を混入した合成樹脂やＳＵＳのような金属で形成してある。また対向電極８は、絶縁材料からなる絶縁保持部１００によって保持されている。
【００１７】
上記液搬送部７はその上端が針状に尖った針状霧化部となっているもので、図１０に示す例では１本の棒状の液搬送部７が液印加電極２４の保持孔部１０１に取付けられている。この棒状の液搬送部７の上部は液印加電極２４よりも上方に突出し、下部が液印加電極２４から下方に突出して給水タンク１６内の水と接触するようになっている。ここで、液搬送部７は例えば、先端が尖った円柱形状の多孔質セラミックで構成されている。多孔質セラミックは、その粒子の粒径が２〜５００μｍ、毛細管が１〜２５０μｍ程度が望ましい。なお多孔質セラミック以外に多孔質金属合金等を使用してもよい。また、液搬送部７の数は１本に限らず、複数本、例えば、図１０（ｂ）の４つの保持孔部１０１に各々、液搬送部７を保持したものであってもよい。この場合、各液搬送部７は液印加電極２４の中央を中心とする同心円上に等間隔で配置される形となる。また液搬送部７は多孔質セラミック以外に、繊維質等の材質で構成されてもよい。
【００１８】
上記対向電極８は、その中央に開口部３１（図９）を有すると共に、この開口部３１の縁は上方から見た場合、保持孔部１０１を中心とする同一径の円弧Ｒ（図９）を滑らかにつないだ形状となっている。そして、対向電極８を接地し、液印加電極２４に高電圧発生部９（図３）を接続して、液搬送部７に高電圧を印加すると共に、液搬送部７が毛細管現象により給水タンク１６に入れてある水を吸い上げているとき、液搬送部７の上端の針状霧化部が液印加電極２４側の実質的な電極として機能すると同時に、対向電極８の上記円弧Ｒが実質的な電極として機能するものである。対向電極８と液印加電極２４の間に高電圧を印加するための高電圧発生部９としては、５００Ｖ／ｍｍ以上、例えば、７００〜１２００Ｖ／ｍｍの電解強度を与えることができるものが好ましい。
【００１９】
そして、高電圧発生部９（図３）により液搬送部７と対向電極８との間に高電圧を印加することで、高電圧により液搬送部７先端の水が帯電して霧化することで、ナノサイズのミストＭは、ラジカルを含有する上に、粒子径がナノメータサイズであるために、空気中に放出された時の寿命が長くて拡散性が大であり、これゆえに浴室２の壁面や浴室用具（例えば、シャワーホース、腰掛け、洗面器等）の付着臭を効率良く且つ、効果的に消臭することができる。また、微菌、カビ菌、ウイルスなどに対しても効果的に作用し、不活性化することができる。
【００２０】
ここで、上記液搬送部７が、毛細管現象で水を先端にまで運ぶことができる多孔質体で形成される場合、その気孔率が１０〜６０％、粒子径が１〜１００μｍ、先端針状部の断面形状がφ０．５ｍｍ以下の多孔質セラミックを用いることで、粒子径が揃ったミストＭを発生させることができ、特に気孔率が４０％、粒子径が１〜３μｍ、液搬送部７の先端断面形状がφ０．２５ｍｍの時に９００Ｖ／ｍｍの電界強度を与えた時、１６〜２０ｎｍの粒子径を持つミストＭを多く発生させることができる。
【００２１】
さらに液搬送部７として、使用する水のｐＨ値でプラスに帯電する等電位点を有する材料からなる多孔質セラミックを使用する場合、給水タンク１６内の水に液搬送部７を接触させて毛細管現象で水を吸い上げさせ、さらに対向電極８を接地すると共に、液印加電極２４にプラスの電圧を印加した時、この電圧が高電圧であれば、液搬送部７の上端の針状霧化部において水は、レイリー分裂を起こして霧化し、静電霧化がなされるわけであり、この時、静電霧化で生じるミストＭは、電界強度が７００〜１２００Ｖ／ｍｍである時、３〜５０ｎｍ、殊に３〜２０ｎｍと３０〜５０ｎｍの粒子径を有するナノサイズのものとなると共に、活性種（ヒドロキシラジカル、スーパーオキサイド等）を持ち、且つ強い電荷量を持ったものとなる。そして、このような電荷されたナノサイズのミストＭは、空気中のウイルスや菌の不活性化、脱臭、空気中のカビの除去及び抗カビ効果といった作用を奏する。
【００２２】
なお、ニオイを分解する脱臭効果は、臭気ガスがナノサイズのミストＭ中のラジカルとの化学反応で無臭化されることでなされるものと考えることができる。下記はラジカルとアセトアルデヒドをはじめとする各種臭気との脱臭反応式である。ＯＨはヒドロキシラジカルを示す。
アセトアルデヒド  ＣＨ3ＣＨＯ＋６ＯＨ＋Ｏ2→２ＣＯ2＋５Ｈ2
アンモニア  ２ＮＨ3＋６ＯＨ→Ｎ2＋６Ｈ2
酢酸  ＣＨ3ＣＯＯＨ＋４ＯＨ＋Ｏ2→２ＣＯ2＋４Ｈ2
メタンガス  ＣＨ4＋４ＯＨ＋Ｏ2→ＣＯ2＋Ｈ2
一酸化炭素  ＣＯ＋２ＯＨ→ＣＯ2＋Ｈ2
一酸化窒素  ２ＮＯ＋４ＯＨ→Ｎ2＋２Ｏ2＋２Ｈ2
ホルムアルデヒド  ＨＣＨＯ＋４ＯＨ→ＣＯ2＋３Ｈ2
上記において、ＯＨラジカルがカビの菌糸を分解するために、抗カビ効果が得られるものと考えられる。
【００２３】
上記構成の放電ユニット４は、給水タンク１６内の水を多孔質体からなる液搬送部７により毛細管現象で吸い上げる。そして、高電圧電極（マイナス）の対向電極８と液印加電極２４との間に例えば、約５ｋＶのマイナス電圧を印加することにより、静電噴霧方式で水をナノサイズにミスト化し、ケース３の放出口２７から浴室２空間に放出する。つまり、液搬送部７中の水に高電圧をかけることで、水が次々と分裂（静電霧化）して、水に含まれている電気を帯びたナノサイズのミストＭが発生するものであり、このナノサイズのミストＭは、脱臭・カビの活動抑制に必要な反応性の高い物質を水で包み込んだ超微細な物質であり、空気中に飛び出しても消え難く、長寿命で、且つ非常に小さいため、カビやニオイを分解する働きがあり、さらにニオイを分解する働きがある。なお図４中の２８は通気用開口部であり、ケース３の上面の放出口２７は通気用開口部２９を兼ねるものであり、これによりケース３の前面から上面側に向って、或いは上面側から前面側に向って、例えば浴室換気乾燥機、排気扇などの風Ａの流路を形成できる構造となり、従って、浴室換気乾燥機等の風Ａを利用して、放電ユニット４内部に飛散した水を乾かすことができ、これにより放電ユニット４での電極間短絡等の危険性を低減でき、安定的な動作が確保されている。
【００２４】
また、上記本体ケース３Ｂに設けられる水密空間８０には、図３に示すように、高電圧を発生させる高電圧発生部９が水密状態で収納されている。水密空間８０に高電圧発生部９を収納することにより、放電ユニット４の耐水性を向上させることができると共に、リーク電流の影響を除去して安全性を確保できるようになる。図３の例では、放電ユニット本体４Ａを上部に配置し、それよりも下部に放電ユニット４を制御する制御部２５を配置している。なお図３中の１８は給水タンク１６内部の水位を把握する窓、２６は制御部２５の前面パネル、９０は外付け制御ブロックである。放電ユニット本体４Ａの下部に配置される制御部２５は外部から水が浸入しない密閉構造となっており、制御部２５の前面には放電ユニット本体４Ａの電源を手でオン・オフするための電源スイッチ等が設けられている。また本例では、本体ケース３Ｂ側にリードスイッチ７０、放電ユニット４側にリードスイッチ用磁石７１をそれぞれ配置し、放電ユニット４をケース３から外した状態、つまり、高電圧発生部９の端子１０から放電ユニット４の接点端子１１が離れた状態で、高電圧発生部９をオフにし且つ高電圧の印加ができない状態に切り換える安全構造となっている。
【００２５】
なお、液搬送部７に供給される水は、水（水道水）：精製水の割合が１：４であることが好ましい。ちなみに、水道水だけでは、カルシウム等のミネラル成分によって多孔質体内部に詰まりが発生しやすい。一方、精製水（純度の高い水）だけでは導電性が低い。そこで両者を上記割合で混ぜることで、多孔質体の詰まりがなく、導電性も十分に確保できるようになる。
【００２６】
図８は上記浴室用静電霧化装置１の設置例を示している。図中の５０は制御ボックス、５１は浴室換気乾燥機、５２は脱衣室である。浴室用静電霧化装置１の運転は、入浴後に、リモコン操作によって自動運転される。この自動運転では、最初に一定時間、浴室２を乾燥した後で、浴室２の空気循環をしながら行なう。このように浴室２乾燥後に浴室用静電霧化装置１を運転させるので、放電ユニット４内部が水で濡れることがなく、放電を安定させることができる。ここで、浴室用静電霧化装置１の運転中に、排気のみを行なうと、ミストＭが浴室２外部に排気されてしまい、ニオイやカビをとる効果が薄れるため、運転中は空気加熱循環を同時に行なう。なお空気加熱循環は、浴室換気乾燥機５１を用いて行なったり、或いは、ケース３内部にヒーター及び排気ファンとを設ける方法などが考えられる。また空気加熱循環や排気を行なわずに、浴室用静電霧化装置１だけを単独運転することも可能である。
【００２７】
ここで、本発明においては、図４〜図７に示すように、放電ユニット４を収納するケース３は、化粧カバー３Ａと、放電ユニット４が嵌め込まれる本体ケース３Ｂと、化粧カバー３Ａと本体ケース３Ｂとの間に介在される導電材料からなる帯電防止用板４０とで構成されている。図６、図７の例では、本体ケース３Ｂは、高圧発生部や制御部等が水密状態で装着される回路基板９５と、基枠９７と、浴室壁２ａに取り付けられる取付ベース９８とからなり、回路基板９５と基枠９７との間がパッキン９６を介して水密に結合されている。なお図５の６はオゾンを拡散させるためのテーパー部、図６中の１４は、本体ケース３Ｂを浴室壁２ａに固定するための防水ワッシャー１５付き取付けネジ、図７中の５はケース３の底部３ｂに設けた排水用の水抜き孔である。
【００２８】
上記帯電防止用板４０は、図６、図７に示すように、ケース３外周四方に沿って配置される四角枠状に組み立てられ、接地側に接続されている。この帯電防止用板４０には、化粧カバー３Ａと本体ケース３Ｂの両方に弾性接触する略く字状のばね部４１が設けられている。このばね部４１は、帯電防止用板４０の周方向に沿って連続的或いは断続的に設けられている。さらに化粧カバー３Ａの表面には垂直方向に延びる水切りガイド４２（図１）が設けられている。
【００２９】
なお、化粧カバー３Ａの底部３ｂには、図４のように、左右一対の水抜き孔５が設けられている。本例では、化粧カバー３Ａの底部３ｂの一部を斜め下方に切り起こし、その切り起こし片６０の先端を水抜き孔５としている。
【００３０】
しかして、浴室２に配設されるケース３内に、水を高電圧により１０〜３０ｎｍに分裂させたナノサイズのミストＭを発生する放電ユニット４を収納し、ケース３の上部に設けた放出口２７からはナノサイズのミストＭが放出されるので、空気中のカビの除去及び抗カビ効果か得られる。しかもこのナノサイズのミストＭは、空気中での滞空時間が１５〜３０分程度と長く、そのうえ水分を伴っているため、空気中の物質と結合しても従来のイオンのように消えてしまうことがない。従って、浴室２空間を浮遊するカビの胞子を顕著に減らすことができると共に、浴室２の壁や床に付着した水や湯の近傍でカビが繁殖するのを充分に防ぐと共に、ニオイを分解でき、浴室２空間を清潔快適に保つことができる。また浴室２乾燥だけでなく、他の使用例として、浴室用静電霧化装置１の上方に棚を配置し、この棚に靴を載置したり、或いは浴室２内に衣類を吊り下げたりしてもよく、この場合、ナノサイズのミストＭによって靴や衣類に沁み付いたニオイ、カビを効率よく分解可能となる。
【００３１】
また、ケース３に水がかかった場合、化粧カバー３Ａと本体ケース３Ｂとの取り付け部には四角枠状をした導電材料からなる帯電防止用板４０が介在されているため、ケース３表面を伝って浴室壁２ａへ漏れようとする電荷を導電材料からなる帯電防止用板４０でキャッチして強制的に接地させることができるので、ケース３から浴室壁２ａへと電荷を逃がさないようにできる。しかも本例では、帯電防止用板４０に略く字状のばね部４１を設け、化粧カバー３Ａを取り外した状態で図２に示すように、ばね部４１が外側に向って略く字状に突出した状態となり、化粧カバー３Ａを嵌め込むと、図１（ａ）（ｂ）に示すように、化粧カバー３Ａの内面が略く字状のばね部４１の凸部４１ａを押圧すると共に、ばね部４１の先端４１ｂが本体ケース３Ｂの外面に押し付けられた状態となり、く字状のばね部４１が化粧カバー３Ａと本体ケース３Ｂの両方に確実に弾性接触できるようになる。しかも、図１（ｂ）のように本体ケース３Ｂ側に位置決め突起７５が突設され、帯電防止用板４０に位置決め凹所７６が設けられ、位置決め凹所７６を位置決め突起７５に嵌め込むことで、化粧カバー３Ａと本体ケース３Ｂ間でく字状のばね部４１が潰されるように変形した場合でも、帯電防止用板４０が本体ケース３Ｂに対して動かないように位置決めされ、帯電防止用板４０の歪みや外れを確実に防止できる。これにより、ケース３に水がかかった場合、ケース３を伝って浴室壁２ａ（図１４）等へ漏れようとする電荷を帯電防止用板４０にてキャッチして強制的に接地させることができ、ケース３から浴室壁２ａへと電荷を逃がさない構造となる。つまり接地されている帯電防止用板４０を用いて、化粧カバー３Ａから浴室壁２ａへの電荷リーク経路、及び、本体ケース３Ｂから浴室壁２ａへの電荷リーク経路の両方を、それぞれ、確実に絶つことができるので、ケース３表面の水による電荷リーク防止の確実性を高めることができる。
【００３２】
さらに本例では、化粧カバー３Ａの表面には、図１（ａ）、図４のように水平断面が凹凸形状をし且つ垂直方向に延びる水ガイド４２が設けられている。この水ガイド４２により化粧カバー３Ａの表面にかかった水をスムーズに水切りでき、飛散水がケース３表面に溜まったままになったり、ケース３内部に浸入したりするのを極力防止できる。従って、前記帯電防止用板４０とあいまって、ケース３の電荷リーク防止効果をより一層高めることができ、そのうえに、水ガイド４２は水平断面が凹凸形状をし且つ垂直方向にスジ状にまっすぐ延びているので、水切り効果に加えて、化粧カバー３Ａの外観デザイン性が向上する効果もある。
【図面の簡単な説明】
【００３３】
【図１】本発明の一実施形態を示し、（ａ）は化粧カバーを本体ケースに取り付けた状態の平面断面図、（ｂ）は（ａ）のＦ部の拡大断面図である。
【図２】（ａ）は同上の化粧カバーを取り付ける前の状態の平面断面図、（ｂ）は（ａ）の帯電防止用板のく字状のばね部付近の拡大断面図である。
【図３】同上の浴室用静電霧化装置を浴室壁に取り付けた状態の断面図である。
【図４】同上の浴室用静電霧化装置の斜視図である。
【図５】同上の化粧カバーを取り外した状態の斜視図である。
【図６】同上の浴室用静電霧化装置の正面側から見た分解斜視図である。
【図７】同上の浴室用静電霧化装置の背面側から見た分解斜視図である。
【図８】同上の浴室用静電霧化装置の設置例の説明図である。
【図９】同上の放電ユニット本体の斜視図である。
【図１０】（ａ）は同上の放電ユニット本体の正面図、（ｂ）は平面図である。
【図１１】図１０（ｂ）のＣ−Ｃ線断面図である。
【符号の説明】
【００３４】
１  浴室用静電霧化装置
２  浴室
３  ケース
３Ａ  化粧カバー
３Ｂ  本体ケース
４  放電ユニット
４０  帯電防止用板
４１  く字状のばね部
４２  水ガイド
【図１】
2005224729.tif 000003
【図２】
2005224729.tif 000004
【図３】
2005224729.tif 000005
【図４】
2005224729.tif 000006
【図５】
2005224729.tif 000007
【図６】
2005224729.tif 000008
【図７】
2005224729.tif 000009
【図８】
2005224729.tif 000010
【図９】
2005224729.tif 000011
【図１０】
2005224729.tif 000012
【図１１】
2005224729.tif 000013